(57)【要約】【課題】使いやすく、任意の年月日の曜日を容易に求めることができる太陽暦カレンダーを提供する。【解決手段】所定のシートの表面に日表示２と曜日表示３と年表示４とが表示されている。日表示２は、所定の径の円周に沿って「１」から「１４０」まで順番に記載されている。曜日表示３は、七曜から成り、日表示２の「１」から「１４０」までの各数字に隣り合って「日曜日」から「土曜日」まで順番に繰り返し表示されている。年表示４は、日表示２の２０の倍数に対応する位置に表示されている。年表示４は、１４０の倍数に足した数が３６０の倍数となる日表示の位置を示し、その３６０の倍数の数を年数にして成っている。【選択図】図１
0003149847.tif 000002
【実用新案登録請求の範囲】
【請求項１】
所定のシートの表面に、
円周状に順番に表示された１から１４０までの数字から成る日表示と、
前記日表示の１から１４０までの各数字に隣り合って順番に繰り返し表示された七曜から成る曜日表示と、
１４０の倍数に足した数が３６０の倍数となる日表示の位置を示し、前記３６０の倍数の数を年数にして成る年表示とを、
有することを特徴とする太陽暦カレンダー。
【考案の詳細な説明】
【技術分野】
【０００１】
本考案は、太陽暦カレンダーに関する。
【背景技術】
【０００２】
従来、任意の年月日の曜日がわかるカレンダーとして、上段に年、下段に日を表示して固定し、中段に月と曜日とを表示して作動抜脱操作可能とし、計算尺方式による部分操作によって、毎月のカレンダー表示を行い、指定する日の曜日を判別するカード型ポケットカレンダーがある（例えば、特許文献１参照）。
【先行技術文献】
【特許文献】
【０００３】
【特許文献１】実開平６−２９８６８号公報
【考案の概要】
【考案が解決しようとする課題】
【０００４】
しかしながら、特許文献１に記載のカレンダーでは、使い方がわかりにくく、任意の年月日の曜日を判別するまでに、手間がかかるという課題があった。また、３６０日を一年とする太陽暦に対応した、任意の年月日の曜日がわかるカレンダーは、これまで存在していない。
【０００５】
本考案は、このような課題に着目してなされたもので、使いやすく、任意の年月日の曜日を容易に求めることができる太陽暦カレンダーを提供することを目的とする。
【課題を解決するための手段】
【０００６】
上記目的を達成するために、本考案に係る太陽暦カレンダーは、所定のシートの表面に、円周状に順番に表示された１から１４０までの数字から成る日表示と、前記日表示の１から１４０までの各数字に隣り合って順番に繰り返し表示された七曜から成る曜日表示と、１４０の倍数に足した数が３６０の倍数となる日表示の位置を示し、前記３６０の倍数の数を年数にして成る年表示とを、有することを特徴とする
【０００７】
本考案に係る太陽暦カレンダーは、日表示が１４０で一周しており、７で割り切れるため、日表示が１４０から１に変わるときに、曜日表示の順番がずれない。このため、日表示を何周しても曜日がずれず、任意の年月日までの年数や日数を、年表示と日表示とに基づいて数えたり計算したりすることにより、容易に任意の年月日の曜日を求めることができる。このため、何年、何十年、何百年、何千年、何万年、何億年…先の曜日であっても、簡単な四則計算で求めることができる。
【考案の効果】
【０００８】
本考案によれば、使いやすく、任意の年月日の曜日を容易に求めることができる太陽暦カレンダーを提供することができる。
【図面の簡単な説明】
【０００９】
【図１】本考案の実施の形態の太陽暦カレンダーを示す正面図である。
【考案を実施するための形態】
【００１０】
以下、図面に基づき本考案の実施の形態について説明する。
図１は、本考案の実施の形態の太陽暦カレンダーを示している。
図１に示すように、太陽暦カレンダー１は、所定のシートの表面に、日表示２と曜日表示３と年表示４とを有している。
【００１１】
日表示２は、所定の径の円周に沿って円周状に順番に表示された「１」から「１４０」までの数字から成る。日表示２は、「１」から「１４０」までで１周し、「１４０」の次が「１」に戻るように等角度間隔で記載されている。
【００１２】
曜日表示３は、七曜から成り、日表示２の「１」から「１４０」までの各数字に隣り合って日表示２の内側に、日表示２と同じ円周に沿って表示されている。曜日表示３は、日表示２の「１」を「日曜日」として、「日曜日」から「土曜日」まで順番に繰り返し記載されている。これにより、曜日表示３は、日表示２の「１４０」が「土曜日」となり、日表示２が「１４０」から「１」に変わるときに、順番がずれないようになっている。図１に示す具体的な一例では、曜日表示３は、「日」「月」…「土」と記載されているが、曜日を識別可能であれば、英語表示などいかなる形式で表示されていてもよい。また、曜日表示３が順番に記載されていれば、日表示２の「１」が日曜日である必要はない。
【００１３】
年表示４は、日表示２が２０の倍数に対応する位置に、曜日表示３の内側に表示されている。年表示４は、１４０の倍数に足した数が３６０の倍数となる日表示２の位置を示し、その３６０の倍数の数を年数にして成っている。年表示４は、３６０日を１年として、日表示２の「１」から順に日数を数えたとき、ちょうど所定の年数になる日表示２の位置に、その年数を表すよう記載されている。年表示４は、年数の計算が容易になるよう、代表的な年数のみ記載されている。図１に示す具体的な一例では、年表示４として、「１年」〜「１０年」、「１００年」〜「７００年」が記載されている。
【００１４】
次に、作用について説明する。
太陽暦カレンダー１は、３６０日を一年とする太陽暦に使用される。太陽暦カレンダー１は、日表示２が「１４０」で一周しており、７で割り切れるため、日表示２が「１４０」から「１」に変わるときに、曜日表示３の順番がずれない。このため、日表示２を何周しても曜日がずれない。また、任意の年数は、日表示２が２０の倍数に対応する位置に必ずなるため、以下のようにして計算することができる。
【００１５】
すなわち、日表示２の「１４０」の位置には、「７の倍数」の年数がくる。日表示２が「２０」の位置には、「７の倍数＋２」の年数がくる。日表示２が「４０」の位置には、「７の倍数＋４」の年数がくる。日表示２が「６０」の位置には、「７の倍数＋６」の年数がくる。日表示２が「８０」の位置には、「７の倍数＋１」の年数がくる。日表示２が「１００」の位置には、「７の倍数＋３」の年数がくる。日表示２が「１２０」の位置には、「７の倍数＋５」の年数がくる。
【００１６】
これにより、任意の年月日までの年数や日数を、年表示４と日表示２とに基づいて数えたり計算したりすることにより、容易に任意の年月日の曜日を求めることができる。例えば、「土曜日（日表示２の「１４０」）」の１０年１０日後は、年表示４の「１０年」の位置から、日表示２で１０日分進んだ位置、すなわち、日表示２の「１１０」に対応し、「木曜日」となる。また、「土曜日（日表示２の「１４０」）」の１０００年後は、「１０００／７＝１４２余り６」なので、年数が「７の倍数＋６」となる日表示２の「６０」の位置となり、「水曜日」となる。「火曜日（日表示２の「３」）」の１万年後は、「１万／７＝１４２８余り４」なので、年数が「７の倍数＋４」となる日表示２の「４０」から、はじめの日表示２のずれである「３」日分すすめて、日表示２の「４３」の「日曜日」となる。
【００１７】
このように、太陽暦カレンダー１は、何年、何十年、何百年、何千年、何万年、何億年…先の曜日であっても、簡単な四則計算で求めることができる。
【００１８】
なお、太陽暦カレンダー１は、紙などのシートに表示されるほか、コンピュータの画面等に表示されるものであってもよい。画面表示される場合には、例えば、ゲーム機やパソコンを操作することにより、自動的に曜日を計算可能になっていることが好ましい。
【符号の説明】
【００１９】
１  太陽暦カレンダー
２  日表示
３  曜日表示
４  年表示
【図１】
0003149847.tif 000003